(57)【要約】      （修正有）【課題】トンネル内に設置されている多数の消火栓装置の状態をセンタ側で監視して状態変化に対し適切に対応可能とする。【解決手段】トンネル内に設置された複数の消火栓装置１０をセンタ装置１４により監視する。消火栓装置１０の各々に設けた端末ユニット１２は、消火栓装置の状態を検知して生成した状態検知情報をセンタ装置１４に送信する。センタ装置１４は、消火栓装置１０から送信された状態検知情報を受信し、状態検知情報の内容を報知する。消火栓装置の端末ユニット１２は、消火栓装置１０の状態として、消火器の有無、扉の開閉、給水圧力、放水圧力、ノズル取り外し操作等の状態を検知してセンタ装置１４に送信する。【選択図】図１
2011104032.tif 000002
【特許請求の範囲】
【請求項１】
防災区域に設置された消火栓装置をセンタ装置により監視する消火栓装置監視システムに於いて、
前記消火栓装置に、
消火栓装置の状態を検知する検知処理部と、
検知処理部の状態検知情報を前記センタ装置に送信する端末伝送部と、
を設け、
前記センタ装置に、
前記消火栓装置から送信された状態検知情報を受信するセンタ伝送部と、
受信された状態検知情報を報知する報知処理部と、
を設けたことを特徴とする消火栓装置監視システム。
【請求項２】
請求項１記載の消火栓装置監視システムに於いて、
前記消火栓装置の検知処理部は、消火栓装置の状態として、消火器の有無、消火器内の消火剤残量、消火器窓の汚損状況、扉の開閉、給水圧力、放水圧力、ノズル取り外し操作又は発信機故障又は障害、電源異常、伝送線の断線の少なくともいずれかの状態を検知して端末伝送部によりセンタ装置に送信させることを特徴とする消火栓装置監視システム。
【請求項３】
請求項１記載の消火栓装置監視システムに於いて、
前記消火栓装置の検知処理部は、消火器の有無を検知し、状態検知情報として端末伝送部によりセンタ装置に送信させ、
前記センタ装置の報知処理部は、センタ伝送部で受信した状態検知情報から消火器無しを判別した時に、消火器装置の特定情報を含む消火器無しを報知し、その後に消火器有りを判別したときに消火器無しの報知を停止することを特徴とする消火栓装置監視システム。
【請求項４】
請求項１記載の消火栓装置監視システムに於いて、
前記消火栓装置の検知処理部は、消火栓扉、消火器扉、保守扉又は通報装置扉の開閉を検知し、検知結果を状態検知情報として端末伝送部によりセンタ装置に送信させ、
前記センタ装置の報知処理部は、センタ伝送部で受信した状態検知情報から消火栓扉、消火器扉、保守扉又は通報装置扉の開扉を判別した時に消火器装置の特定情報を含む開扉を表示し、その後に閉扉を判別した時に開扉の表示を停止することを特徴とする消火栓装置監視システム。
【請求項５】
請求項１記載の消火栓装置監視システムに於いて、
前記消火栓装置の検知処理部は、発信機のオン操作を検知し、状態検知情報として端末伝送部によりセンタ装置に送信させ、
前記センタ装置の報知処理部は、センタ伝送部で受信した状態検知情報から発信機オン操作を判別した時に、火災受信盤に火災移報信号を出力すると共に送信元の消火栓装置に確認応答情報を送信して確認表示灯を点灯させることを特徴とする消火栓装置監視システム。
【請求項６】
請求項１記載の消火栓装置監視システムに於いて、
前記消火栓装置の検知処理部は、ポンプ起動スイッチのオン操作又はオフ操作を検知し、検知結果を状態検知情報として端末伝送部によりセンタ装置に送信させ、
前記センタ装置の報知処理部は、センタ伝送部で受信した状態検知情報からポンプ起動スイッチのオン操作を判別した時にポンプ制御盤にポンプ起動信号を出力する共にポンプ運転を表示し、その後にオフ操作を判別した時にポンプ制御盤にポンプ停止信号を出力すると共にポンプ運転表示を停止することを特徴とする消火栓装置監視システム。
【請求項７】
請求項１記載の消火栓装置監視システムに於いて、
前記消火栓装置の検知処理部は、ノズルホルダに対するノズル着脱操作を検知し、検知結果を状態検知情報として端末伝送部によりセンタ装置に送信させ、
前記センタ装置の報知処理部は、センタ伝送部で受信した状態検知情報から取得したノズル取着脱操作に基づきノズル使用の有無を表示することを特徴とする消火栓装置監視システム。
【請求項８】
請求項１記載の消火栓装置監視システムに於いて、
前記消火栓装置の検知処理部は、圧力センサで検知した給水配管の給水圧力給水圧力が所定の閾値圧力以下の時に給水圧力異常を判別して端末伝送部によりセンタ装置に送信させ、
前記センタ装置の報知処理部は、センタ伝送部で受信した状態検知情報から給水圧力異常を取得して報知することを特徴とする消火栓装置監視システム。
【請求項９】
請求項１記載の消火栓装置監視システムに於いて、
前記消火栓装置の検知処理部は、給水配管の給水圧力を圧力センサにより検知し、前記給水圧力を示すデータを状態検知情報として端末伝送部によりセンタ装置に送信させ、
前記センタ装置の報知処理部は、センタ伝送部で受信した状態検知情報から取得した給水圧力が所定の閾値圧力以下の時に当該状態検知情報に基づいて給水圧力異常の有無を判定して結果を報知し、必要に応じ給水圧力を示す表示を行い、更に、前記給水圧力を示すデータを外部へ転送することを特徴とする消火栓装置監視システム。
【請求項１０】
請求項１記載の消火栓装置監視システムに於いて、
前記消火栓装置の検知処理部は、圧力センサでノズル付きホースによる放水圧力が所定の閾値圧力以下の時に放水圧力異常を判別し、判別結果を状態検知情報として端末伝送部によりセンタ装置に送信させ、
前記センタ装置の報知処理部は、センタ伝送部で受信した状態検知情報から放水圧力異常を取得して報知することを特徴とする消火栓装置監視システム。
【請求項１１】
請求項１記載の消火栓装置監視システムに於いて、
前記消火栓装置の検知処理部は、ノズル付きホースによる放水圧力を圧力センサにより検知し、放水圧力を示すデータを状態検知情報として端末伝送部によりセンタ装置に送信させ、
前記センタ装置の報知処理部は、センタ伝送部で受信した状態検知情報から取得した放水圧力を示すデータに基づいて放水圧力異常を判定して結果を報知し、必要に応じ放水圧力を示す表示を行い、更に放水圧力を示すデータを外部へ転送することを特徴とする消火栓装置監視システム。
【請求項１２】
請求項１記載の消火栓装置監視システムに於いて、
前記消火栓装置の端末伝送部とセンタ装置のセンタ伝送部は信号回線により接続されて有線伝送を行うことを特徴とする消火栓装置監視システム。
【請求項１３】
請求項１記載の消火栓装置監視システムに於いて、
前記消火栓装置の端末伝送部とセンタ装置のセンタ伝送部は無線回線により接続されて無線伝送を行うことを特徴とする消火栓装置監視システム。
【請求項１４】
請求項１記載の消火栓装置監視システムに於いて、
前記消火栓装置の端末伝送部は、センタ装置とは別の管理装置へ状態検知情報を送信することを特徴とする消火栓装置監視システム。
【請求項１５】
請求項１記載の消火栓装置監視システムに於いて、
前記消火栓装置の端末伝送部は、管理装置との間で有線または無線により伝送を行う補助伝送部を備えたことを特徴とする消火栓装置監視システム。
【請求項１６】
請求項１５記載の消火栓装置監視システムに於いて、
前記消火栓装置の端末伝送部は、補助伝送部の制御および状態監視を行い、監視情報を状態検知情報として前記センタ装置又は管理装置へ送信することを特徴とする消火栓装置監視システム。
【請求項１７】
請求項１記載の消火栓装置監視システムに於いて、
前記消火栓装置の検知処理部は、汚損センサで消火器窓の汚損状態を検知し、当該検知信号に基づいて汚損有無を判定し、判定結果を状態検知情報として前記端末伝送部によりセンタ装置に送信させ、
前記センタ装置の報知処理部は、センタ伝送部で受信した状態検知情報から消火器窓汚損ありを取得して報知することを特徴とする消火栓装置監視システム。
【請求項１８】
請求項１記載の消火栓装置監視システムに於いて、
前記消火栓装置の検知処理部は、汚損センサで消火器窓の汚損度を検知し、当該汚損度を示すデータを状態検知情報として端末伝送部によりセンタ装置に送信させ、
前記センタ装置の報知処理部は、センタ伝送部で受信した状態検知情報から消火器窓汚損の有無を判定して結果を報知し、必要に応じ汚損度を示す表示を行い、さらに、前記汚損度を示すデータを外部へ転送することを特徴とする消火栓装置監視システム。
【請求項１９】
請求項１記載の消火栓装置監視システムに於いて、
前記消火栓装置の検知処理部は、前記各種状態検知情報の少なくとも何れかを表示又は音響出力することを特徴とする消火栓装置監視システム。
【請求項２０】
自己の状態を検知して状態データを取得する検知処理部と、
前記状態データ取得部で取得した状態データに基づいて自己の状態を判定する判定部と、
を備えたことを特徴とする消火栓装置。
【請求項２１】
自己の状態を検知して状態データを取得する検知処理部と、
前記状態データ取得部で取得した状態データをセンタ装置へ送信する端末伝送部と、
を備えたことを特徴とする消火栓装置。
【請求項２２】
前記消火栓装置から送信された前記状態データを受信するセンタ伝送部と、
前記センタ伝送部で受信した状態データに基づいて前記消火栓装置の状態を判別し、結果を出力する報知処理部と、
を備えたことを特徴とするセンタ装置。
【請求項２３】
自己の状態を検知して状態データを取得し、取得した前記状態データをセンタ装置へ送信する消火栓装置と、
前記消火栓装置から送信された前記状態データに基づいて前記消火栓装置の状態を判別し、結果を出力するセンタ監視と、
から成ることを特徴とする消火栓装置監視システム。
【請求項２４】
請求項２３記載の消火栓装置監視システムに於いて、
前記センタ装置は記消火栓装置から送信された前記状態データを出力することを特徴とする消火栓装置監視システム。
【請求項２５】
請求項２３記載の消火栓装置監視システムに於いて、
前記消火栓装置は、取得した前記状態データを管理装置へ送信することを特徴とする消火栓装置監視システム。
【発明の詳細な説明】
【技術分野】
【０００１】
本発明は、本体に収容された放水ノズル付きホースを引き出して放水する消火栓装置の状態をセンタ装置により集中監視する消火栓装置監視システムに関する。
【背景技術】
【０００２】
従来、自動車専用道路などのトンネル内には、火災発生時に備えて消火栓装置が設置されている。
【０００３】
このような消火栓装置は火災を伴う車両事故の発生時等に、本体前面の消火栓扉を開いて、内部に収容されているノズル付きのホースを引き出し、同じく内部に設けている消火栓弁開閉レバーを操作することで消火ポンプ設備を起動して放水を行うことができる。
【０００４】
また消火栓装置筐体内または消火栓装置近傍の消火器箱には消火器が収納されており、この中から消火器を取り出して消火活動を行うことができる。
【０００５】
また消火栓装置またはその近傍には通報装置が設けられ、ここに赤色表示灯、発信機、及び応答ランプを設けており、火災時には、発信機を押してスイッチボタンをオンすると、発信信号が監視室の火災受信機に送信されて火災警報が出され、これに伴い応答信号が火災受信機から返送されて、応答ランプを点灯するようにしている。
【先行技術文献】
【特許文献】
【０００６】
【特許文献１】特開２００５−３１８９７２号公報
【発明の概要】
【発明が解決しようとする課題】
【０００７】
しかしながら、このような従来のトンネル用消火栓装置にあっては、例えば消火器が正常に収納されているか、消火栓扉や消火器扉が正しく開扉または閉扉されているか等の状態確認は全て点検員により人為的に確認しており、点検作業に手間と時間がかかるという問題がある。
【０００８】
また、一般ユーザが使用する消火栓弁開閉レバーや消防隊が使用するポンプ起動スイッチなどの操作状態、給水圧力やノズルからの放水圧力などについては、全て現場で確認するしかなく、監視室のなどのセンタ側で消火栓装置の状態を充分に把握することができないという問題がある。また、トンネル内には消火栓装置が、例えば５０ｍおきに多数設置されており、これらの点検・確認作業には時間がかかったり、複数の点検員が手分けして行うなど人件費もかかっていた。このため、点検作業は定期または不定期に、期間を空けて行われていた。
【０００９】
本発明は、トンネル内に設置されている多数の消火栓装置の状態をセンタ側で監視して状態変化に対し適切に対応可能とする消火栓装置監視システムを提供することを目的とする。
【課題を解決するための手段】
【００１０】
本発明の消火栓装置監視システムは、防災区域に設置された消火栓装置をセンタ装置により監視する消火栓装置監視システムに於いて、
消火栓装置に、
消火栓装置の状態を検知する検知処理部と、
検知処理部の状態検知情報を前記センタ装置に送信する端末伝送部と、
を設け、
センタ装置に、
消火栓装置から送信された状態検知情報を受信するセンタ伝送部と、
受信された状態検知情報を報知する報知処理部と、
を設けたことを特徴とする。
【００１１】
ここで、消火栓装置の検知処理部は、消火栓装置の状態として、消火器の有無、消火器内の消火剤残量、消火器窓の汚損状況、扉の開閉、給水圧力、放水圧力、ノズル取り外し操作又は発信機故障又は障害、電源異常、伝送線の断線の少なくともいずれかの状態を検知して端末伝送部によりセンタ装置に送信させる。
【００１２】
消火栓装置の検知処理部は、消火器の有無を検知し、状態検知情報として端末伝送部によりセンタ装置に送信させ、センタ装置の報知処理部は、センタ伝送部で受信した状態検知情報から消火器無しを判別した時に、消火器装置の特定情報を含む消火器無しを報知し、その後に消火器有りを判別したときに消火器無しの報知を停止する。
【００１３】
消火栓装置の検知処理部は、消火栓扉、消火器扉、保守扉又は通報装置扉の開閉を検知し、検知結果を状態検知情報として端末伝送部によりセンタ装置に送信させ、センタ装置の報知処理部は、センタ伝送部で受信した状態検知情報から消火栓扉、消火器扉、保守扉又は通報装置扉の開扉を判別した時に消火器装置の特定情報を含む開扉を表示し、その後に閉扉を判別した時に開扉の表示を停止する。
【００１４】
消火栓装置の検知処理部は、発信機のオン操作を検知し、状態検知情報として端末伝送部によりセンタ装置に送信させ、センタ装置の報知処理部は、センタ伝送部で受信した状態検知情報から発信機オン操作を判別した時に、火災受信盤に火災移報信号を出力すると共に送信元の消火栓装置に確認応答情報を送信して確認表示灯を点灯させる。
【００１５】
消火栓装置の検知処理部は、ポンプ起動スイッチのオン操作又はオフ操作を検知し、検知結果を状態検知情報として端末伝送部によりセンタ装置に送信させ、センタ装置の報知処理部は、センタ伝送部で受信した状態検知情報からポンプ起動スイッチのオン操作を判別した時にポンプ制御盤にポンプ起動信号を出力する共にポンプ運転を表示し、その後にオフ操作を判別した時にポンプ制御盤にポンプ停止信号を出力すると共にポンプ運転表示を停止する。
【００１６】
消火栓装置の検知処理部は、ノズルホルダに対するノズル着脱操作を検知し、検知結果を状態検知情報として端末伝送部によりセンタ装置に送信させ、センタ装置の報知処理部は、センタ伝送部で受信した状態検知情報から取得したノズル取着脱操作に基づきノズル使用の有無を表示する。
【００１７】
消火栓装置の検知処理部は、圧力センサで検知した給水配管の給水圧力給水圧力が所定の閾値圧力以下の時に給水圧力異常を判別して端末伝送部によりセンタ装置に送信させ、センタ装置の報知処理部は、センタ伝送部で受信した状態検知情報から給水圧力異常を取得して報知する。
【００１８】
消火栓装置の検知処理部は、給水配管の給水圧力（１次側圧力）を圧力センサにより検知し、給水圧力を示すデータを状態検知情報として端末伝送部によりセンタ装置に送信させ、センタ装置の報知処理部は、センタ伝送部で受信した状態検知情報から取得した給水圧力が所定の閾値圧力以下の時に当該状態検知情報に基づいて給水圧力異常の有無を判定し、結果を報知する。また、必要に応じ給水圧力を示す表示を行う。さらに、給水圧力を示すデータを外部（センタ装置に搭載されたプリンタ等を含む）へ転送する。
【００１９】
消火栓装置の検知処理部は、圧力センサでノズル付きホースによる放水圧力が所定の閾値圧力以下の時に放水圧力異常を判別し、判別結果を状態検知情報として端末伝送部によりセンタ装置に送信させ、センタ装置の報知処理部は、センタ伝送部で受信した状態検知情報から放水圧力異常を取得して報知する。
【００２０】
消火栓装置の検知処理部は、ノズル付きホースによる放水圧力（２次側圧力）を圧力センサにより検知し、放水圧力を示すデータを状態検知情報として端末伝送部によりセンタ装置に送信させ、センタ装置の報知処理部は、センタ伝送部で受信した状態検知情報から取得した放水圧力を示すデータに基づいて放水圧力異常を判定して結果を報知する。また、必要に応じ放水圧力を示す表示を行う。さらに、放水圧力を示すデータを外部（センタ装置に搭載されたプリンタ等を含む）へ転送する。
【００２１】
消火栓装置の端末伝送部とセンタ装置のセンタ伝送部は信号回線により接続されて有線伝送を行う。
【００２２】
また、消火栓装置の端末伝送部とセンタ装置のセンタ伝送部は無線回線により接続されて無線伝送を行うよいにしても良い。
【００２３】
また、消火栓装置の端末伝送部は、センタ装置とは別の管理装置へ状態検知情報を送信する。
【００２４】
また、消火栓装置の端末伝送部は、管理装置との間で伝送を行う補助伝送部を備える。補助伝送部と管理装置との伝送は、有線または無線で行われる。
【００２５】
消火栓装置は、補助伝送部の制御および状態監視を行い、監視情報を状態検知情報としてセンタ装置および／または管理装置へ送信する。
また、消火栓装置の検知処理部は、汚損センサで消火器窓の汚損状態を検知し、当該検知信号に基づいて汚損有無を判定し、判定結果を状態検知情報として端末伝送部によりセンタ装置に送信させ、センタ装置の報知処理部は、センタ伝送部で受信した状態検知情報から消火器窓汚損ありを取得して報知する。
【００２６】
また、消火栓装置の検知処理部は、汚損センサで消火器窓の汚損度を検知し、当該汚損度を示すデータを状態検知情報として端末伝送部によりセンタ装置に送信させ、センタ装置の報知処理部は、センタ伝送部で受信した状態検知情報から消火器窓汚損の有無を判定して結果を報知する。また、必要に応じ汚損度を示す表示を行う。さらに、汚損度を示すデータを外部（センタ装置に搭載されたプリンタ等を含む）へ転送する。
【００２７】
消火栓装置は、上記の各種状態検知情報の少なくとも何れかを表示又は音響出力する。
【００２８】
また本発明は、消火栓装置を提供するものであり、
自己の状態を検知して状態データを取得する検知処理部と、
状態データ取得部で取得した状態データに基づいて自己の状態を判定する判定部と、
を備えたことを特徴とする。
【００２９】
また本発明は、消火栓装置を提供するものであり、
自己の状態を検知して状態データを取得する検知処理部と、
状態データ取得部で取得した状態データをセンタ装置へ送信する端末伝送部と、
を備えたことを特徴とする。
【００３０】
また本発明は、センタ装置を提供するものであり、
消火栓装置から送信された状態データを受信するセンタ伝送部と、
センタ伝送部で受信した状態データに基づいて消火栓装置の状態を判別し、結果を出力する報知処理部と、
を備えたことを特徴とする。
【００３１】
又本発明は、消火栓装置監視システムを提供するものであり、
自己の状態を検知して状態データを取得し、取得した状態データをセンタ装置へ送信する消火栓装置と、
消火栓装置から送信された状態データに基づいて消火栓装置の状態を判別し、結果を出力するセンタ監視と、
から成ることを特徴とする。
【００３２】
ここで、センタ装置は消火栓装置から送信された状態データを出力する。また、消火栓装置は、取得した状態データを管理装置へ送信する。
【発明の効果】
【００３３】
本発明によれば、消火器の有無、消火器内の消火剤残量、消火器窓の汚損状況、扉の開閉、給水圧力、放水圧力、ノズル取り外し操作又は発信機故障又は障害、電源異常、伝送線の断線を含む消火栓装置の状態を検知してセンタ装置に送信することにより、消火栓装置の状態をセンタ側で集中して監視することができ、例えば消火器が取り出された場合は直ぐに消火栓装置を特定する番号等の情報と共に消火器無しがリアルタイムでセンタ側に表示され、常に、消火器が正しく収納されているか否かの管理ができ、消火器無しを知った場合には、新しい消火器を設置するなどの適切な対処が迅速にでき、現場に出向いて状態を確認する人為的な作業を不要とし、トンネルに設置されている多数の消火栓装置の維持管理が簡単且つ容易にでき、運用コストを低減できる。
【００３４】
また、センタ装置を火災受信機等の防災受信盤と一体にすることで、火災検知器等、他の防災設備からの情報と消火栓からの情報とを一括して効率的に管理することができる。
【図面の簡単な説明】
【００３５】
【図１】本発明による消火栓装置監視システムの実施形態を示したブロック図
【図２】本発明により監視する消火栓装置を正面から示した説明図
【図３】図２について扉側を外して本体内部構造を示した正面図
【図４】図１の消火栓装置に設けた端末ユニットとセンタ装置の詳細を示したブロック図
【図５】図４の端末ユニットによる消火栓装置の検知処理を示したフローチャート
【図６】図４のセンタ装置による消火栓装置の監視処理を示したフローチャート
【図７】図５の消火器装置処理により取得される状態データと図６のセンタ装置処理による処理内容を一覧で示した説明図
【図８】消火栓装置の端末ユニットとセンタ装置を無線回線で結んだ本発明の他の実施形態を示したブロック図
【発明を実施するための形態】
【００３６】
図１は本発明による消火栓装置監視システムの実施形態を示したブロック図である。図１において、消火栓装置１０はトンネルの側壁に沿って、例えば５０メートル間隔で複数台設置され、内部にノズル付きホースと消火器を収納している。消火栓装置１０の各々には端末ユニット１２が設けられ、端末ユニット１２は消火栓装置１０の状態を検知し、状態検知情報を含む電文信号（以下単に「電文」という）を、伝送線１６を介してセンタ装置１４に送信する。
【００３７】
本実施形態において端末ユニット１２は消火栓装置１０の状態として、消火器の有無、消火器内の消火剤残量、消火器窓の汚損状況、消火栓扉、消火器扉、保守扉、通報装置扉の開閉、消火栓弁開閉レバーなどの操作部の操作、給水圧力、放水圧力、ノズル着脱操作又は発信機操作、発信機の故障または機能等の障害、電源異常、伝送線の断線、その他電気回路部の故障または機能等の障害の少なくともいずれかの状態を検知し、検知信号に基づいて状態検知情報を含む電文を生成し、センタ装置１４に送信する。
【００３８】
消火栓装置１０に設けた端末ユニット１２は伝送路１６を介して監視室などに設置されたセンタ装置１４に接続される。このとき、線路の末端にあたる消火栓装置１０には、センタ装置１４側で伝送線１６の断線監視を行うための終端器が接続されている。センタ装置（監視制御盤）１４は消火栓装置１０の端末ユニット１２から送信された電文を受信し、受信された電文中の状態検知情報に基づいて、状態情報を警報音及び又は表示により報知し、更に必要に応じてポンプ制御盤１８に対するポンプ起動信号またはポンプ停止信号の送信、或いは防災受信盤２０に対する火災移報信号の送信等を行う。
【００３９】
なお、監視制御盤１４、ポンプ制御盤１８、防災受信盤２０はそれらの機能の一部または全部を適宜に分離統合することができる。
【００４０】
図２は図１に示したトンネルに設置される消火栓装置１０の正面図である。図２において、消火栓装置１０は、消火栓側の筐体（第１筐体：消火栓本体）２２−１と消火器側の筐体（第２筐体：消火器箱）２２−２に分割した構造であり、各前面に化粧板２４−１，２４−２を装着しており、筐体２２−１と筐体２２−２に対し必要な機器及び部材を組付けた後に連結固定部で固定した状態とし、この状態でトンネル現場に搬入して架台１１上に設置している。
【００４１】
化粧板２４−１，２４−２には開扉口部２６，２７が設けられている。筐体２２−１の開扉口部２６には、消火栓扉２８と保守扉３２が設けられており、その内部がホース収納空間及び給水バルブ類収納空間となっている。消火栓扉２８は下側のヒンジを中心に前方に回転傾倒させつつ開閉することができ、通常時は一対のハンドル３０による図示しないロック部のロックで図示の閉鎖位置に閉じており、ハンドル３０に手を入れて手前に引くとロックが外れ、開くことができる。
【００４２】
消火栓扉２８の上には、上部のヒンジを中心に上向に回転開閉する保守扉３２が設けられており、点検時に消火栓扉２８を開いて図示しない内側のロックを解除することで開くことができる。
【００４３】
筐体２２−２の開扉口部２７の前面右側部分には通報装置扉３４が設けられ、ここに赤色表示灯３６、発信機３８、及び応答ランプ４０を設けている。なお、通報装置扉３４の内側には電話ジャックを設けている。この通報装置扉は、必ずしも開閉自在な構造でなくとも良いが、開閉不可とする場合は、外部から少なくとも電話ジャックにアクセス可能な構造としておく必要がある。
【００４４】
赤色表示灯３６は常時点灯し、消火栓装置１０の設置場所が遠方から分かるようにしている。火災時には、発信機３８を押してスイッチボタンをオンすると、発信信号が監視室のセンタ装置１４を経由して防災受信盤２０に送信されて火災警報が出され、これに伴い応答信号がセンタ装置１４から送られて、応答ランプ４０を点灯するようにしている。
【００４５】
なお、通報装置扉３４に設けた赤色表示灯３６、応答ランプ４０等の電気機器には、センタ装置１４から電源が供給されている。
【００４６】
開扉口部２７の前面左側部分には消火器扉４２が設けられ、消火器扉４２に対応した筐体２２−１の内部を消火器収納空間とし、例えば図３に示すように２本の消火器４６を収納している。消火器扉４２にはハンドル４４が設けられ、ハンドル４４を手前に引くと図示しないラッチ機構のラッチが解除され、消火器扉４２は左側をヒンジとして回転しつつ前方に開くことができる。また、消火器扉４４の下側部分には覗き窓４５が設けられ、外部から消火器の収納状態を確認できるようにしている。
【００４７】
図３は図２の消火栓装置１０について筐体２２−１側の消火栓扉を外し、保守扉３２は上向きに開いてステーで支持した状態で内部構造を示した正面図である。なお、保守扉３２は、消火栓装置の保守やホース収容作業時以外には通常閉じられており、消火作業時も閉められたままで消火栓扉２８のみ開放される。
【００４８】
図３において、筐体２２−１の左側部分にはホース収納空間が形成され、右側部分にはバルブ類収納空間が形成されている。ホース収納空間には、その周囲を囲んで、収納されているホース５４を押えるホースバケット５０が設けられ、内部にホース収納部を形成している。
【００４９】
ホースバケット５０は、格子状のフレーム配置により開扉口部２６の上下左右方向における略中央となる位置にホース取出口５２を仕切り形成している。
【００５０】
ホースバケット５０の右側にはノズルホルダ５８が取り付けられ、ホース取出口５２から引き出したホース５４の先端に装着しているノズル５６を横向きで着脱自在に保持している。
【００５１】
ホースバケット５０及び筐体内壁で囲まれたホース収納空間にはホース５４が内巻きに巻き回されて収納されている。このホース収納空間の右側に配置したバルブ類収納空間には、外部のポンプ設備からの給水配管が接続される消火栓接続口からホース根元部の接続口に至る配管系統に、給水弁６２、消火栓弁、自動調圧弁６４、自動排水弁、及びメンテナンス用の弁や分岐配管などのメンテナンス装置６６を設けている。
【００５２】
消火栓弁に対しては消火栓弁開閉レバー６０が設けられ、これに対応して設けた銘板の裏側に配置された消火栓弁を手動開閉する。消火栓弁開閉レバー６０を下向きとなる開位置に操作すると、消火栓弁が開放位置に作動され、配管内の消火栓弁二次側圧力が上昇して自動排水弁は閉鎖位置に作動される。
【００５３】
同時に消火栓弁開閉レバー６０の背後に設置しているリミットスイッチがオンし、これによって図１のセンタ装置１４を経由してポンプ制御盤２０にポンプ起動信号が送られ、ポンプ設備が起動される。放水を停止する際には、消火栓弁開閉レバー６０を元の上向き位置に戻すと消火栓弁が閉じ、同時にリミットスイッチがオフとなってポンプ設備の運転停止が行われる。
【００５４】
また給水弁６２の手前にはポンプ起動スイッチ６８が配置される。給水弁６２及びポンプ起動スイッチ６８は消防隊が消火時に操作する機器であり、この操作を行わなくともホース５４からの放水が可能となっている。このため一般の操作者が操作する際には、給水弁６２及びポンプ起動スイッチ６８は消火栓扉２８を開いても保守扉３２により隠されており、消火栓装置を操作しようとするユーザに見せないことで、不要な混乱を起させないようにしている。すなわち、一般の操作者は消火栓扉２８のみを開いて必要な一連の操作を行うことが出来、迅速な初期消火活動が行えるよう配慮して構成されている。
【００５５】
図４は図１の消火栓装置に設けた端末ユニットとセンタ装置の詳細を示したブロックである。
【００５６】
図４において、消火栓装置に設けた端末ユニット１２には、端末伝送部７０、検知処理部７２が設けられ、検知処理部７２に対しては入力部７４と出力部７６が設けられる。端末伝送部７０には、センタ装置１４とは別の外部管理装置との間で通信を行う補助伝送部７１を設けることができる。補助伝送部７１はセンタ装置１４とは有線又は無線で接続されておらず、例えばポータブルの管理装置との間でのみ通信する。
【００５７】
入力部７４には消火栓装置の状態検知のためのセンサとして、消火器検出スイッチ７８（消火器１本ごとに設けることが可能）、消火器開閉扉検出スイッチ８０、消火栓開閉扉検出スイッチ８２、消火栓弁開閉検出スイッチ８４、発信機スイッチ３８ａ、ポンプ起動スイッチ８６、ノズル検出スイッチ９０、給水圧力センサ９２及び放水圧力センサ９４が接続されている。出力部７６には赤色表示灯３６と応答ランプ４０が接続されており、検知処理部７２は所定の周期で入力部７４を介してこれらセンサから各状態を示す信号を収集する。なお、入力部７４と出力部７６は、入出力関係を明確にするため便宜上示しているが、処理検知部７２に含めても良い。
【００５８】
消火器残量を検出する場合は、例えば消火器重量検出部８５を設けて、消火器検出スイッチ７８で消火器有りが検出されているときに重量を検出することで残量を検出する。消火器重量検出部８５も、消火器１本ごとに設けることができる。
【００５９】
また消火器窓の汚損状況を検出する場合は、例えば投光部と受光部から成る光学式の汚損センサ８６を設けて、消火器窓を透過する信号光の減衰や消火器窓で反射される信号光の変化に基づいて汚損度を検出することができる。
【００６０】
もちろん、これら以外にも各種の状態検出センサを設けることで、点検者は消火栓１０の設置場所に於いても、より詳細な状態把握が簡単に行える。
【００６１】
また、検知処理部７２に対して表示部７３や音響出力部７５を設けて、検知処理部７２で検知した消火栓装置１２の状態や通信状況等を表示したり、ブザーや音声で状態を告知させるようにしても良い。これにより、消火栓装置１０の状態を確認し易くなる。この表示は、出力指示スイッチ７７を設けることで、点検者が出力情報の一部又は全部について出力の有無（出力開始／停止）を選択指示できるようにすることができる。
【００６２】
このとき、出力指示スイッチ７７の操作によって出力指示を受け付けた時に最新の状態情報を収集して出力するリアルタイム処理としても良いが、記憶部を設けて、当該記憶部に直前の状態情報を記憶させておき、出力指示スイッチ７７の操作によって出力指示を受け付けたときに、当該直前の状態情報を出力させるようにしても良い。
【００６３】
また、端末ユニット１２は、補助伝送部を含む自己の通信機能、表示等出力機能その他を実行させる電気回路部の故障や障害、各電気回路へ供給される電源異常の有無等を監視する、回路異常検知部（図示省略）を備えており、これらの異常検知結果は、例えば入力部７４の入力と同様に処理される。
【００６４】
一方、センタ装置１４には、センタ伝送部９６、報知処理部９８が設けられる。また報知処理部９８に対しては表示部１０４、操作部１０６、音響警報を行う警報部１０８及び記憶部１１０が接続されている。
【００６５】
端末伝送部７０とセンタ伝送部９６は伝送路１６を介して接続され、端末伝送部７０から消火栓装置の状態検知情報を含む電文をセンタ伝送装置９６に伝送し、またセンタ伝送装置９６から端末伝送部７０に対しては、状態検知情報に基づく応答のための電文や制御のための電文を送信する。端末伝送部７０とセンタ伝送部９６の間で伝送する電文は、送信元を示すノードＩＤ、少なくとも状態検知情報を含む所定のフォーマット形式をもつ。
【００６６】
消火器検出スイッチ７８は図３に示した消火器扉４２の内部に収納されている消火器４６の有無を検出するスイッチであり、例えば消火器４６を所定の位置に収納した状態でオフし、消火器を取り出すとオンするリミットスイッチなどを使用している。
【００６７】
端末ユニット１２の検知処理部７２は、入力部７４を介して消火器検出スイッチ７８のオフからオンへの状態変化を検知した時に、消火器無しを示す電文を生成して端末伝送部７０によりセンタ装置１４に送信する。
【００６８】
報知処理部９８は、センタ伝送部９６で受信した電文の状態検知情報から消火器無しを判別した時に、電文から得た送信元ノードＩＤに対応する消火器装置を特定する装置番号等と共に消火器無しを表示部１０４に表示し、同時に警報部１０８から警報音または音声警報メッセージを出力する。
【００６９】
また端末ユニット１２の検知処理部７２は、消火器無しを検知した後に、入力部７４を介して消火器検知スイッチ７８のオンからオフへの状態変化を検知した時に、消火器有りを示す電文を生成して端末伝送部７０によりセンタ装置１４に送信し、この電文受信に基づき報知処理部９８は消火器有りを判別し、それまでの消火器なしの報知を停止する。
【００７０】
消火器開閉扉検出スイッチ８０は図３の消火器扉４２を閉じた状態でオフしており、消火器扉４２を開いた時にオンするリミットスイッチなどである。端末ユニット１２の検知処理部７２は、消火器開閉扉検出スイッチ８０のオンによる開扉を検知した時に、消火器扉の開扉を示す状態検知情報を含む電文を生成し、端末伝送部７０によりセンタ装置１４に送信する。報知処理部９８は、センタ伝送部９６で受信した電文の状態検知情報から消火器扉の開扉を判別した時に消火器装置番号と共に開扉を表示部１０４に表示し、同時に警報部１０８から警報音または音声警報メッセージを出力する。
【００７１】
また端末ユニット１２の検知処理部７２は、消火器扉の開扉を検知した後に、入力部７４を介して消火器開閉扉検出スイッチ８０のオンからオフへの状態変化を検知した時に、消火器扉の閉扉を示す電文を生成して端末伝送部７４によりセンタ装置１４に送信し、この電文を受信に基づき報知処理部９８は消火器扉の閉扉を判別し、それまでの開扉の報知を停止する。
【００７２】
消火栓扉開閉検出スイッチ８２は図３の消火栓扉２８を閉じた状態でオフしており、消火栓扉２８を開いた時にオンするリミットスイッチなどである。端末ユニット１２の検知処理部７２は、消火栓開閉扉検出スイッチ８２のオンによる開扉を検知した時に、消火器扉の開扉を示す状態検知情報を含む電文を生成し、端末伝送部７０によりセンタ装置１４に送信する。報知処理部９８は、センタ伝送部９６で受信した電文の状態検知情報から消火栓扉の開扉を判別した時に消火器装置番号と共に開扉を表示部１０４に表示し、同時に警報部１０８から警報音または音声警報メッセージを出力する。
【００７３】
また端末ユニット１２の検知処理部７２は、消火栓扉の開扉を検知した後に、入力部７４を介して消火栓開閉扉検出スイッチ８２のオンからオフへの状態変化を検知した時に、消火栓扉の閉扉を示す電文を生成して端末伝送部７４によりセンタ装置１４に送信し、この電文を受信に基づき報知処理部９８は消火栓扉の閉扉を判別し、それまでの開扉の報知を停止する。
【００７４】
なお、図３の消火栓装置１０にあっては、保守扉３２と通報装置扉３４を設けており、これらの扉についても、同様に開扉の状態検知に基づき対応する電文をセンタ装置１４に送信して表示させ、また閉扉の状態検知に基づき対応する電文をセンタ装置１４に送って開扉の報知を停止するようにしても良い。
【００７５】
発信機スイッチ３８ａは図３に示したように通報装置扉３４に設けられた発信機３８の押釦スイッチであり、火災時に操作される。端末ユニット１２の検知処理部７２は、発信機スイッチ３８ａのオン操作を検知して火災確定の状態検知情報を含む電文を生成し、端末伝送部７０によりセンタ装置１４に送信する。
【００７６】
報知処理部９８は、センタ伝送部９６で受信した状態検知情報から発信機オン操作に基づく火災確定を判別した時に、火災受信盤（防災受信盤）２０に火災移報信号を出力して火災警報を行わせると共に、表示部１０４と警報部１０８により火災警報を出力させ、同時に警報部１０８から警報音または音声警報メッセージを出力する。更に報知処理部９８は、送信元の消火栓装置に確認応答情報を含む応答電文を送信して応答ランプ４０を点灯させる。
【００７７】
消火栓弁開閉検出スイッチ８４は図３に示した消火栓弁開閉レバー６０の開操作でオンし、閉操作でオフするリミットスイッチなどである。端末ユニット７２の検知処理部７２は、消火栓弁開閉レバー６０の開又は閉の操作を検知したときに、その状態検知情報を含む電文を生成し、端末伝送部７０によりセンタ装置１４に送信する。
【００７８】
報知処理部９８は、センタ伝送部９６で受信した状態検知情報から消火栓開閉レバー６０の開操作を判別した時にポンプ制御盤１８にポンプ起動信号を出力すると共に消火栓弁の開を表示部１０４に表示する。
【００７９】
また検知処理部７２はその後に消火栓弁開閉レバー６０の閉操作を判別した時に、レバー閉操作の状態検知情報を含む電文を生成し、端末伝送部７０によりセンタ装置１４に送信する。この電文を受けて報知処理部９８はポンプ制御盤１８にポンプ停止信号を出力すると共に消火栓弁の開表示を停止する。
【００８０】
ポンプ起動スイッチ８６は図３に示したように保守扉３２の内側に配置された消防隊が操作する押釦スイッチである。端末ユニット１２の検知処理部７２は、ポンプ起動スイッチ８６のオン操作を検知したときに、その状態検知情報を含む電文を生成し、端末伝送部７０によりセンタ装置１４に送信する。
【００８１】
報知処理部９８は、センタ伝送部９６で受信した状態検知情報からポンプ起動スイッチ８６のオン操作を判別した時にポンプ制御盤１８にポンプ起動信号を出力すると共に消火ポンプ起動操作を表示部１０４に表示する。
【００８２】
また検知処理部７２はその後にポンプ起動スイッチ８６のオフ操作を判別した時に、その状態検知情報を含む電文を生成し、端末伝送部７０によりセンタ装置１４に送信する。この電文を受けて報知処理部９８はポンプ制御盤１８にポンプ停止信号を出力すると共に消火ポンプ起動操作の表示を停止する。
【００８３】
ノズル検出スイッチ９０は図３に示したノズルホルダ５８に対するノズル５６の装着保持でオフしており、放水のためノズル５６をノズルホルダ５８から取り外しした時にオンするリミットスイッチなどである。端末ユニット１２の検知処理部７２は、ノズル検出スイッチ９０のノズルホルダ５８からのノズル取り外しによるオンを検知した時に、その状態検知情報を含む電文を生成し、端末伝送部７０によりセンタ装置１４に送信する。
【００８４】
報知処理部９８は、センタ伝送部９６で受信した状態検知情報からノズル取外し操作を判別した時に、ノズル無しに対応する「ノズル使用中」を示す表示を表示部１０４に表示する。
【００８５】
また検知処理部７２はその後にノズル５６をノズルホルダ５８に装着して保持状態に戻すことによるノズル検出スイッチ９０のオフを判別した時に、その状態検知情報を含む電文を生成し、端末伝送部７０によりセンタ装置１４に送信する。この電文を受けて報知処理部９８は「ノズル使用中」の表示を停止する。
【００８６】
給水圧力センサ９２は図３の消火栓装置１０に対する給水配管内の圧力を検知するもので、例えば給水弁６２の１次側に設ける。端末ユニット１２の検知処理部７２は、給水圧力センサ９２で検知した給水配管の給水圧力レベルが所定の閾値（許容下限閾値）以下若しくは他の閾値（許容上限閾値）以上の時に給水圧力異常を判別してその状態検知情報を含む電文を生成し、端末伝送部７２によりセンタ装置１４に送信する。
【００８７】
報知処理部９８は、センタ伝送部９６で受信した電文の状態検知情報から給水圧力異常を取得して表示部１０４に消火栓装置番号と共に給水圧力異常を表示し、同時に警報部１０８から給水圧力異常を示す警報音を出力する。このとき、圧力過小または圧力過大を併せて告知するようにしても良い。
【００８８】
放水圧力センサ９４は図３の消火栓装置１０に設けたホース５４内を経由してノズル５６から放水される消火水の圧力を代替検知するもので、例えば自動調圧弁６４により所定の放水圧力に調整されるようになっており、その２次側の、ホース５４に接続される配管経路中に放水圧力センサ９４を設ける。
【００８９】
端末ユニット１２の検知処理部７２は、放水圧力センサ９４で検知した放水圧力が所定の許容下限閾値圧力以下若しくは許容上限閾値以上の時に放水圧力異常を判別してその状態検知情報を含む電文を生成し、端末伝送部７２によりセンタ装置１４に送信する。
【００９０】
報知処理部９８は、センタ伝送部９６で受信した電文の状態検知情報から放水圧力異常を取得して表示部１０４に消火栓装置番号を表示すると共に、警報部１０８から放水圧力異常を示す警報音を出力する。このとき、圧力過小または圧力過大を併せて告知するようにしても良い。
【００９１】
なお、給水圧センサ９２と放水圧センサ９４による状態検知について、閾値比較による圧力異常を端末ユニット１２側で判別しているが、判別方法は必ずしも閾値との比較に依らなくても良く、他の適宜の判別方法を適用できる。また、給水圧センサ９２と放水圧センサ９４で検知した圧力値に対応する信号をそのままセンタ装置１４に電文で送信し、センタ装置１４側で閾値との比較等適宜の方法により圧力異常を判別するようにしても良い。
【００９２】
また検知処理部７２は消火器無しや開扉といった異常（ここでは、定常状態と異なる状態を異常としており、適切な操作のための状態変化もこれに含まれる）を検知した時、出力部７６に接続して常時点灯している赤色表示灯３６を点滅又は明滅し、消火栓装置に異常が起きていることを外部から分かるようにしても良い。また、赤色表示灯に代えて別の表示手段を設け、この表示を行わせるようにしても良い。
【００９３】
図５は図３の消火栓装置１０に設けた端末ユニット１２による消火栓装置処理を例示したフローチャートである。
【００９４】
図５において、端末ユニット１２の電源を投入して起動すると、ステップＳ１で初期化処理を行うと共に自己診断を行い、異常がなければステップＳ２に進み、状態変化によるイベント発生を判別する。
【００９５】
ステップＳ２でイベント発生を判別するとステップＳ３に進み、イベント種別を判別し、ステップＳ４でイベント種別に応じた状態データを含む電文をセンタ装置に送信する。
【００９６】
ここでステップＳ２のイベント発生判別は、例えば端末ユニット１２側で定期的に各センサ等状態検出手段の状態信号を収集して、当該収集信号に基づいて、閾値比較等所定の判別処理を行うことで実現できる。
【００９７】
このとき、状態変化が無い場合でも判別処理を行う毎に、判別した状態検知情報を生成して端末伝送部７４によりセンタ装置１４へ送信するようにしても良い。この場合、１つの電文に全ての状態情報を示すコードを含むようにして一括送信させることもできる。また、少なくとも一部のセンサからの出力信号を端末ユニット１２で割り込み入力として受け付けて、当該割り込み信号に基づいて、閾値比較等所定の判別処理を行うようにしても良い。
【００９８】
図６は図３のセンタ装置１４に設けた報知処理部９８によるセンタ装置処理を例示したフローチャートである。図６において、センタ装置の電源を投入して起動すると、ステップＳ１１で初期化処理を行うと共に自己診断を行い、異常がなければステップＳ１２に進み、電文受信の有無を判別する。
【００９９】
ステップＳ１２で電文受信を判別するとステップＳ３３に進んで電文内容を判別し、ステップＳ１４で電文内容に応じた処理を行う。
【０１００】
図７は図５の消火器装置処理により取得される状態データと図６のセンタ装置処理による処理内容の例を一覧で示している。
【０１０１】
図８は本発明による消火栓装置監視システムの他の実施形態を示したブロック図であり、この実施形態にあっては、消火栓装置の端末ユニットとセンタ装置との間の伝送に無線回線を使用するようにしたことを特徴とする。
【０１０２】
図７において、消火栓装置１０はトンネルの側壁に沿って５０メートル間隔で複数台設置され、消火栓装置１０の各々には無線式端末ユニット１１２が設けられ、無線式端末ユニット１１２は消火栓装置１０の状態を検知し、状態検知情報を含む電文をセンタ装置（監視制御盤）１４に無線送信する。そして必要に応じ、電波中継器１１４を設けることができる。
【０１０３】
センタ装置１４も無線伝送が可能であり、図４に示したセンタ伝送部９４を無線式センタ伝送部とすることで対応している。あるいは、センタ装置１４との中継器１１４とセンタ装置１４の間は有線伝送としても良い。中継器１１４は、無線式端末ユニット１１２とセンタ装置１４との間の通信に係る無線信号を中継する。このように中継器１１４を設けることによって、無線端末ユニット１１２（消火栓装置１０）とセンタ装置１４の設置場所が離れている等の理由で無線信号が届きにくい場合でも、適切な通信を確保することが出来る。
それ以外の構成及び動作は図４の実施形態と同じになる。無線式端末ユニット１１２及びセンタ装置１４に設ける無線伝送部としては、例えば４００ＭＨｚ帯の特定小電力無線局の標準規格に従った無線通信を行う。
【０１０４】
このように無線回線を使用して消火栓装置の無線式端末ユニット１１２とセンタ装置１４との間で電文を伝送することで、例えば既設のトンネルに設置している消火栓装置に無線式端末ユニット１１２を設置することで、センタ装置１４との間の伝送路の配線作業を極力減らしつつ本発明により消火栓装置監視システムが容易に構築できる。
【０１０５】
もちろん、監視制御盤１４、ポンプ制御盤１８、防災受信盤２０はそれらの機能の一部または全部を適宜に分離統合することができる。
【０１０６】
なお、上記の実施形態に消火栓装置の状態検知として示した消火器の有無、消火栓扉の開閉、消火器扉の開閉、保守扉の開閉、通報装置扉の開閉、消火栓弁開閉レバーなどの操作部の操作、給水圧力、放水圧力、ノズル着脱操作又は発信機操作を例にとっているが、必要に応じて他の適宜の状態変化を検知してセンタ装置で監視することができる。
【０１０７】
また本発明により監視対象とする消火栓装置は図３及び図４に限定されず、適宜の構造もつトンネル用消火栓装置を含む。
【０１０８】
また、本発明の消火栓装置は、トンネル用であることに限定されない。すなわちビルその他の建物内に設置される屋内消火栓装置やその他の消火栓装置にも同様に適用できる。
【０１０９】
また、消火栓本体、消火器箱、通報装置は一体である必要は無く、何れかひとつまたは全てが分離されていても良く、この場合消火栓本体から分離された部分についても本発明の消火栓装置に含まれる。
【０１１０】
また、通報装置は発信機、赤色表示灯、応答ランプ、電話ジャックの全てを備えている必要は無く、少なくとも一部を備えていれば良い。
【０１１１】
また、本発明の消火栓装置は、消火栓本体、消火器箱、通報装置のうち少なくとも消火栓本体を備えていれば良く、消火器箱若しくは通報装置の何れかまたは両方を備えていなくても良い。
【０１１２】
また、本発明の消火栓装置は、消火栓本体、消火器箱、通報装置以外の構成をさらに備えていても良い。
【０１１３】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０１１４】
また、このような自己の状態情報を検出してその結果内容を表示、音響、通信等によって出力する機能は、同じ防災システム内に設けられた他の設備、例えば水噴霧設備等に適用することも出来る。この場合も同様に、センタ装置や管理装置で出力情報を取得して管理させることが出来る。
【０１１５】
また本発明はその目的と利点を損なうことのない適宜の変形を含み、更に上記の実施形態に示した数値による限定は受けない。
【符号の説明】
【０１１６】
１０：消火栓装置
１２：端末ユニット
１４：センタ装置
１６：伝送路
１８：ポンプ制御盤
２０：防災受信盤
２２−１：第１筐体
２２−２：第２筐体
２８：消火栓扉
３２：保守扉
３４：通報装置扉
３６：赤色表示灯
３８：発信機
３８ａ：発信機スイッチ
４０：応答ランプ
４２：消火器扉
４６：消火器
５０：ホースバケット
５２：ホース取出口
５４：ホース
５６：ノズル
５８：ノズルホルダ
６０：消火栓弁開閉レバー
６８：ポンプ起動スイッチ
７０：端末伝送部
７１：補助伝送部
７２：検知処理部
７４：入力部
７６：出力部
７７：出力指示スイッチ
７８：消火器検出スイッチ
８０：消火器開閉扉検出スイッチ
８２：消火栓開閉扉検出スイッチ
８４：消火栓弁開閉検出スイッチ
８５：消火器重量検出部
８６：汚損センサ
９０：ノズル検出スイッチ
９２：給水圧センサ
９４：放水圧センサ
９６：センタ伝送部
９８：放置処理部
１０４：表示部
１０６：操作部
１０８：警報部
１１０：記憶部
１１２：無線式端末ユニット
１１４：中継器
【図１】
2011104032.tif 000003
【図２】
2011104032.tif 000004
【図３】
2011104032.tif 000005
【図４】
2011104032.tif 000006
【図５】
2011104032.tif 000007
【図６】
2011104032.tif 000008
【図７】
2011104032.tif 000009
【図８】
2011104032.tif 000010